(57)【特許請求の範囲】
【請求項１】
移動端末から送信されたパケットをサーバへ転送し、返信するパケット転送システムであって、
前記移動端末と前記サーバとの通信経路の間に存在するエッジルータおよびフロントエンド処理装置を備え、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとしてカプセル化して前記フロントエンド処理装置へ転送し、自己宛のカプセル化されたパケットを受信するとカプセル化をはずし、内部送信元アドレスと内部宛先アドレスによるパケットを内部宛先アドレスへ転送し、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とするパケット転送システム。
【請求項２】
移動端末から送信されたパケットをサーバへ転送し、返信するパケット転送システムを、前記移動端末と前記サーバとの通信経路の間に存在するフロントエンド処理装置とともに構成するエッジルータであって、
内部宛先アドレスとして前記サーバのアドレスが記述され、該サーバのアドレスに対応する前記フロントエンド処理装置のアドレスが外部宛先アドレスとして記述されたカプセル化アドレスリストと自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとするカプセル化処理を前記カプセル化処理部に行なわせて前記フロントエンド処理装置へ転送し、自己宛のカプセル化されたパケットを受信すると前記デカプセル化処理部にデカプセル化を行なわせ、内部送信元アドレスと内部宛先アドレスによるパケットを内部宛先アドレスへ転送する判断制御部と、を有することを特徴とするエッジルータ。
【請求項３】
移動端末から送信されたパケットをサーバへ転送し、返信するパケット転送システムを、前記移動端末と前記サーバとの通信経路の間に存在するエッジルータとともに構成するフロントエンド処理装置であって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化する処理を前記カプセル化処理部に行なわせて前記エッジルータへ転送する判断制御部と、を有することを特徴とするフロントエンド処理装置。
【請求項４】
移動端末から送信されたパケットをサーバへ転送し、返信するパケット転送システムであって、
前記移動端末と前記サーバとの通信経路の間に存在するエッジルータを備え、
前記エッジルータは、内部宛先アドレスとして前記サーバのアドレスが記述されたカプセル化アドレスリストを備え、前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化して前記サーバへ転送し、自己宛のカプセル化されたパケットを受信するとカプセル化をはずし、内部送信元アドレスと内部宛先アドレスによるパケットを内部宛先アドレスへ転送し、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際にと前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とするパケット転送システム。
【請求項５】
移動端末から送信されたパケットをサーバへ転送するパケット転送システムを構成する前記移動端末と前記サーバとの通信経路の間に存在するエッジルータであって、
内部宛先アドレスとして前記サーバのアドレスが記述されたカプセル化アドレスリストと自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化する処理を前記カプセル化処理部に行なわせて前記サーバへ転送し、自己宛のカプセル化されたパケットを受信すると前記デカプセル化処理部にデカプセル化を行なわせて、内部送信元アドレスと内部宛先アドレスによるパケットを内部宛先アドレスへ転送する判断制御部と、を有することを特徴とするエッジルータ。
【請求項６】
移動端末から送信されたパケットをエッジルータを介して受け取るサーバであって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを送信する際に前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化する処理を前記カプセル化処理部に行なわせて前記エッジルータへ転送する判断制御部と、ことを特徴とするサーバ。
【請求項７】
移動端末から送信されたパケットをサーバへ転送し、返信するパケット転送システムであって、
前記移動端末と前記サーバとの通信経路の間に存在するエッジルータ、フロントエンド処理装置およびＭＡＰを備え、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送システム。
【請求項８】
移動端末から送信されたパケットをサーバへ転送し、返信するパケット転送システムを前記移動端末と前記サーバとの通信経路の間に存在するフロントエンド処理装置およびＭＡＰとともに構成するエッジルータであって、
内部宛先アドレスとして前記サーバのアドレスが記述され、該サーバのアドレスに対応する前記フロントエンド処理装置のアドレスが外部宛先アドレスとして記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュと、自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストおよびバインディングキャッシュを参照し、前記サーバのアドレスに対応して記述されている前記フロントエンド処理装置のアドレスを外部宛先アドレスとし、前記移動端末のＲＣｏＡを外部送信元アドレスとしてカプセル化する処理を前記カプセル化処理部に行なわせて前記フロントエンド処理装置へ転送し、ＲＣｏＡ宛またはＬＣｏＡ宛のカプセル化されたパケットを受信すると前記デカプセル化処理部にカプセル化をはずすデカプセル化処理を行なわせ、内部送信元アドレスと内部宛先アドレスによるパケットを内部宛先アドレスへ転送する判断制御部と、を有することを特徴とするエッジルータ。
【請求項９】
移動端末から送信されたパケットをサーバへ転送し、返信するパケット転送システムを前記移動端末と前記サーバとの通信経路の間に存在するエッジルータおよびＭＡＰとともに構成する、フロントエンド処理装置であって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化する処理を前記カプセル化処理部に行なわせて前記ＭＡＰへ転送する判断制御部と、を有することを特徴とするフロントエンド処理装置。
【請求項１０】
移動端末から送信されたパケットをサーバへ転送し、返信するパケット転送システムを前記移動端末と前記サーバとの通信経路の間に存在するエッジルータ、フロントエンド処理装置とともに構成するＭＡＰであって、
前記移動端末のＲＣｏＡとＬＣｏＡとを対応して管理するバインディングキャッシュと自己のアドレスとを記憶する情報記憶部と、
パケットのカプセル化を行なうカプセル化処理部と、
宛先アドレスが前記バインディングキャッシュに管理されているＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化する処理を前記カプセル化処理部に行なわせて前記エッジルータへ転送する判断制御部と、を有することを特徴とするＭＡＰ。
【請求項１１】
移動端末から送信されたパケットをサーバへ転送し、返信するパケット転送システムであって、
前記移動端末と前記サーバとの通信経路の間に存在するエッジルータおよびＭＡＰを備え、
前記エッジルータは、内部宛先アドレスとして前記サーバのアドレスが記述されたカプセル化アドレスリストを備え、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスを外部宛先アドレスとし、前記移動端末のＲＣｏＡを外部送信元アドレスとしてカプセル化して前記サーバへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送システム。
【請求項１２】
移動端末から送信されたパケットをサーバへ転送するパケット転送システムを構成する前記移動端末と前記サーバとの通信経路の間に存在するエッジルータであって、
内部宛先アドレスとして前記サーバのアドレスが記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュと、自己のアドレスを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストおよびバインディングキャッシュを参照し、前記サーバのアドレスを外部宛先アドレスとし、前記移動端末のＲＣｏＡを外部送信元アドレスとしてカプセル化する処理を前記カプセル化処理部に行なわせて前記サーバへ転送し、ＲＣｏＡ宛またはＬＣｏＡ宛のカプセル化されたパケットを受信すると前記デカプセル化処理部にデカプセル化処を行い、内部送信元アドレスと内部宛先アドレスによるパケットを内部宛先アドレスへ転送する判断制御部と、を有することを特徴とするエッジルータ。
【請求項１３】
移動端末から送信されたパケットをエッジルータを介して受け取るサーバであって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にデカプセル化処を行わせて内部送信元アドレスと内部宛先アドレスによるパケットを内部宛先アドレスへ転送するとともに前記バインディングリストに内部送信元アドレスと外部送信元アドレスとを対応付けて登録し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化する処理を前記カプセル化処理部に行なわせて前記ＭＡＰへ転送する判断制御部と、を有することを特徴とするサーバ。
【請求項１４】
移動端末から送信されたパケットをサーバへ転送し、返信するパケット転送システムであって、
前記移動端末と前記サーバとの通信経路の間に存在するフロントエンド処理装置を備え、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化して前記フロントエンド処理装置へ転送し、自己のＣｏＡ宛のカプセル化されたパケットを受信するとカプセル化をはずし、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＣｏＡを外部宛先アドレスとし、外部送信元アドレスを自己のアドレスとしてカプセル化して前記移動端末へ転送することを特徴とするパケット転送システム。
【請求項１５】
サーバへのパケット送信および該サーバからの返信を前記サーバとの通信経路の間に存在するフロントエンド処理装置を介して行なう移動端末であって、
内部宛先アドレスとして前記サーバのアドレスが記述され、該サーバのアドレスに対応する前記フロントエンド処理装置のアドレスが外部宛先アドレスとして記述されたカプセル化アドレスリストと自己のＣｏＡとを記憶する情報記憶部と、
パケットのカプセル化を行なうカプセル化処理部と、
パケットのデカプセル化を行なうデカプセル化処理部と、
前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化する処理を前記カプセル化処理部に行なわせて前記フロントエンド処理装置へ転送し、自己のＣｏＡ宛のカプセル化されたパケットを受信すると前記デカプセル化処理部にカプセル化をはずすデカプセル化処理を行なわせる判断制御部と、を有することを特徴とする移動端末。
【請求項１６】
移動端末から送信されたパケットをサーバへ転送し、返信するパケット転送システムであって、
前記移動端末と前記サーバとの通信経路の間に存在するフロントエンド処理装置およびＭＡＰを備え、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送システム。
【請求項１７】
サーバへのパケット送信および該サーバからの返信を前記サーバとの通信経路の間に存在するフロントエンド処理装置およびＭＡＰを介して行なう移動端末であって、
内部宛先アドレスとして前記サーバのアドレスが記述され、該サーバのアドレスに対応する前記フロントエンド処理装置のアドレスが外部宛先アドレスとして記述されたカプセル化アドレスリストと、自己について前記ＭＡＰの保持するサブネットで作成されたＣｏＡであるＲＣｏＡと在圏するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化する処理を前記カプセル化処理部に行なわせて前記フロントエンド処理装置へ転送し、ＲＣｏＡ宛またはＬＣｏＡ宛のカプセル化されたパケットを受信すると前記デカプセル化処理部にカプセル化をはずすデカプセル化処理を行なわせる判断制御部と、を有することを特徴とする移動端末。
【請求項１８】
移動端末から送信されたパケットをサーバへ転送し、返信するパケット転送システムであって、
前記移動端末と前記サーバとの通信経路の間に存在するエッジルータおよびＭＡＰを備え、
前記エッジルータは、内部宛先アドレスとして前記サーバのアドレスが記述され、該サーバのアドレスに対応する前記ＭＡＰのアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送システム。
【請求項１９】
移動端末から送信されたパケットをサーバへ転送し、返信するパケット転送システムを前記移動端末と前記サーバとの通信経路の間に存在するＭＡＰとともに構成するエッジルータであって、
内部宛先アドレスとして前記サーバのアドレスが記述され、該サーバのアドレスに対応する前記ＭＡＰのアドレスが外部宛先アドレスとして記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化する処理を前記カプセル化処理部に行なわせて前記ＭＡＰへ転送し、ＲＣｏＡ宛またはＬＣｏＡ宛のカプセル化されたパケットを受信すると前記デカプセル化処理部にカプセル化をはずすデカプセル化処理を行なわせて、内部送信元アドレスと内部宛先アドレスによるパケットを内部宛先アドレスへ転送する判断制御部と、を有することを特徴とするエッジルータ。
【請求項２０】
移動端末から送信されたパケットをサーバへ転送し、返信するパケット転送システムを前記移動端末と前記サーバとの通信経路の間に存在するエッジルータとともに構成するＭＡＰであって、
前記移動端末のＲＣｏＡとＬＣｏＡとを対応して管理するバインディングキャッシュと、内部送信元アドレスと外部送信元アドレスとを対応付けたバインディングリストと、自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに内部送信元アドレスと外部送信元アドレスとを前記バインディングリストに登録し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化する処理を前記カプセル化処理部に行なわせて転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化する処理を前記カプセル化処理部に行なわせて前記エッジルータへ転送する判断制御部と、を有することを特徴とするＭＡＰ。
【請求項２１】
移動端末とＭＡＰにより構成されるパケット転送システムであって、
前記移動端末は内部宛先アドレスとして前記サーバのアドレスが記述され、該サーバのアドレスに対応する前記ＭＡＰのアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送システム。
【請求項２２】
サーバへのパケット送信および該サーバからの返信を前記サーバとの通信経路の間に存在するＭＡＰを介して行なう移動端末であって、
内部宛先アドレスとして前記サーバのアドレスが記述され、該サーバのアドレスに対応する前記ＭＡＰのアドレスが外部宛先アドレスとして記述されたカプセル化アドレスリストと、自己について前記ＭＡＰの保持するサブネットで作成されたＣｏＡであるＲＣｏＡと在圏するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化する処理を前記カプセル化処理部に行なわせて前記ＭＡＰへ転送し、ＲＣｏＡ宛またはＬＣｏＡ宛のカプセル化されたパケットを受信すると前記デカプセル化処理部にカプセル化をはずすデカプセル化処理を行なわせる判断制御部と、を有することを特徴とする移動端末。
【請求項２３】
移動端末とサーバとの通信経路の間にエッジルータおよびフロントエンド処理装置が存在するパケット転送システムで行なわれるパケット転送方法であって、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとしてカプセル化して前記フロントエンド処理装置へ転送し、自己宛のカプセル化されたパケットを受信するとカプセル化をはずし、内部送信元アドレスと内部宛先アドレスによるパケットを内部宛先アドレスへ転送する処理を行ない、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送する処理を行なうことを特徴とするパケット転送方法。
【請求項２４】
移動端末から送信されたパケットをサーバへ転送し、返信するパケット転送システムを、前記移動端末と前記サーバとの通信経路の間に存在するフロントエンド処理装置とともに構成するエッジルータで行なわれるパケット転送方法であって、
内部宛先アドレスとして前記サーバのアドレスが記述され、該サーバのアドレスに対応する前記フロントエンド処理装置のアドレスが外部宛先アドレスとして記述されたカプセル化アドレスリストを備え、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとしてカプセル化して前記フロントエンド処理装置へ転送し、自己宛のカプセル化されたパケットを受信するとカプセル化をはずし、内部送信元アドレスと内部宛先アドレスによるパケットを内部宛先アドレスへ転送することを特徴とするパケット転送方法。
【請求項２５】
移動端末から送信されたパケットをサーバへ転送し、返信するパケット転送システムを、前記移動端末と前記サーバとの通信経路の間に存在するエッジルータとともに構成するフロントエンド処理装置で行なわれるパケット転送方法であって、
自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とするパケット転送方法。
【請求項２６】
移動端末とサーバとの通信経路の間にエッジルータが存在するパケット転送システムで行なわれるパケット転送方法であって、
前記エッジルータは、内部宛先アドレスとして前記サーバのアドレスが記述されたカプセル化アドレスリストを備え、前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化して前記サーバへ転送し、自己宛のカプセル化されたパケットを受信するとカプセル化をはずし、内部送信元アドレスと内部宛先アドレスによるパケットを内部宛先アドレスへ転送する処理を行ない、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際にと前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送するする処理を行なうことを特徴とするパケット転送方法。
【請求項２７】
移動端末から送信されたパケットをサーバへ転送するパケット転送システムを構成する、前記移動端末と前記サーバとの通信経路の間に存在するエッジルータで行なわれるパケット転送方法であって、
内部宛先アドレスとして前記サーバのアドレスが記述されたカプセル化アドレスリストを備え、前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化して前記サーバへ転送し、自己宛のカプセル化されたパケットを受信するとカプセル化をはずし、内部送信元アドレスと内部宛先アドレスによるパケットを内部宛先アドレスへ転送することを特徴とするパケット転送方法。
【請求項２８】
移動端末から送信されたパケットをエッジルータを介して受け取るサーバで行なわれるパケット転送方法であって、
自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際に前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とするパケット転送方法。
【請求項２９】
移動端末とサーバとの通信経路の間にエッジルータ、フロントエンド処理装置およびＭＡＰが存在するパケット転送システムで行なわれるパケット転送方法であって、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送する処理を行ない、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送する処理を行ない、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送する処理を行なうことを特徴とするパケット転送方法。
【請求項３０】
移動端末から送信されたパケットをサーバへ転送し、返信するパケット転送システムを、前記移動端末と前記サーバとの通信経路の間に存在するフロントエンド処理装置およびＭＡＰとともに構成するエッジルータで行なわれるパケット転送方法であって、
内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送することを特徴とするパケット転送方法。
【請求項３１】
移動端末から送信されたパケットをサーバへ転送し、返信するパケット転送システムを、前記移動端末と前記サーバとの通信経路の間に存在するエッジルータおよびＭＡＰとともに構成する、フロントエンド処理装置で行なわれるパケット転送方法であって、
自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送することを特徴とするパケット転送方法。
【請求項３２】
移動端末から送信されたパケットをサーバへ転送し、返信するパケット転送システムを、前記移動端末と前記サーバとの通信経路の間に存在するエッジルータ、フロントエンド処理装置とともに構成するＭＡＰで行なわれるパケット転送方法であって、
前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送方法。
【請求項３３】
移動端末とサーバとの通信経路の間にエッジルータおよびＭＡＰが存在するパケット転送システムで行なわれるパケット転送方法であって、
前記エッジルータは、内部宛先アドレスとして前記サーバのアドレスが記述されたカプセル化アドレスリストを備え、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスを外部宛先アドレスとし、前記移動端末のＲＣｏＡを外部送信元アドレスとしてカプセル化して前記サーバへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送する処理を行ない、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送する処理を行ない、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送する処理を行なうことを特徴とするパケット転送方法。
【請求項３４】
移動端末から送信されたパケットをサーバへ転送するパケット転送システムを構成する、前記移動端末と前記サーバとの通信経路の間に存在するエッジルータで行なわれるパケット転送方法であって、
内部宛先アドレスとして前記サーバのアドレスが記述されたカプセル化アドレスリストを備え、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスを外部宛先アドレスとし、前記移動端末のＲＣｏＡを外部送信元アドレスとしてカプセル化して前記サーバへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送することを特徴とするパケット転送方法。
【請求項３５】
移動端末から送信されたパケットをエッジルータを介して受け取るサーバで行なわれるパケット転送方法であって、
自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送することを特徴とするパケット転送方法。
【請求項３６】
移動端末とサーバとの通信経路の間にフロントエンド処理装置が存在するパケット転送システムで行なわれるパケット転送方法であって、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化して前記フロントエンド処理装置へ転送し、自己のＣｏＡ宛のカプセル化されたパケットを受信するとカプセル化をはずす処理を行ない、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＣｏＡを外部宛先アドレスとし、外部送信元アドレスを自己のアドレスとしてカプセル化して前記移動端末へ転送する処理を行なうことを特徴とするパケット転送方法。
【請求項３７】
サーバへのパケット送信および該サーバからの受信を前記サーバとの通信経路の間に存在するフロントエンド処理装置を介して行なう移動端末で行なわれるパケット転送方法であって、
内部宛先アドレスとして前記サーバのアドレスが記述され、該サーバのアドレスに対応する前記フロントエンド処理装置のアドレスが外部宛先アドレスとして記述されたカプセル化アドレスリストを備え、前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化して前記フロントエンド処理装置へ転送し、自己のＣｏＡ宛のカプセル化されたパケットを受信するとカプセル化をはずすことを特徴とするパケット転送方法。
【請求項３８】
移動端末とサーバとの通信経路の間にフロントエンド処理装置およびＭＡＰが存在するパケット転送システムで行なわれるパケット転送方法であって、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずす処理を行ない、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送する処理を行ない、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送する処理を行なうことを特徴とするパケット転送方法。
【請求項３９】
サーバへのパケット送信および該サーバからの返信を前記サーバとの通信経路の間に存在するフロントエンド処理装置およびＭＡＰを介して行なう移動端末で行なわれるパケット転送方法であって、
内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずすことを特徴とするパケット転送方法。
【請求項４０】
移動端末とサーバとの通信経路の間にエッジルータおよびＭＡＰが存在するパケット転送システムで行なわれるパケット転送方法であって、
前記エッジルータは、内部宛先アドレスとして前記サーバのアドレスが記述され、該サーバのアドレスに対応する前記ＭＡＰのアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送する処理を行ない、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送する処理を行なうことを特徴とするパケット転送方法。
【請求項４１】
移動端末から送信されたパケットをサーバへ転送し、返信するパケット転送システムを、前記移動端末と前記サーバとの通信経路の間に存在するＭＡＰとともに構成するエッジルータで行なわれるパケット転送方法であって、
前記エッジルータは、内部宛先アドレスとして前記サーバのアドレスが記述され、該サーバのアドレスに対応する前記ＭＡＰのアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送することを特徴とするパケット転送方法。
【請求項４２】
移動端末から送信されたパケットをサーバへ転送し、返信するパケット転送システムを、前記移動端末と前記サーバとの通信経路の間に存在するエッジルータとともに構成するＭＡＰで行なわれるパケット転送方法であって、
前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とするパケット転送方法。
【請求項４３】
移動端末とＭＡＰにより構成されるパケット転送システムで行なわれるパケット転送方法であって、
前記移動端末は内部宛先アドレスとして前記サーバのアドレスが記述され、該サーバのアドレスに対応する前記ＭＡＰのアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずす処理を行い、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送する処理を行なうことを特徴とするパケット転送方法。
【請求項４４】
サーバへのパケット送信および該サーバからの返信を前記サーバとの通信経路の間に存在するＭＡＰを介して行なう移動端末で行なわれるパケット転送方法であって、
内部宛先アドレスとして前記サーバのアドレスが記述され、該サーバのアドレスに対応する前記ＭＡＰのアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずすことを特徴とするパケット転送方法。
【請求項４５】
請求項２４、２５、２７、２８、３０、３１、３２、３４、３５、３７、３９、４１記載の方法をコンピュータシステムで実行させるためのプログラム。
【請求項４６】
請求項４５記載のプログラムが格納された記録媒体。
【発明の詳細な説明】
【技術分野】
【０００１】
本発明は移動体通信ネットワーク、エッジルータ装置及びそれらに用いる移動管理方法並びにそのプログラムに関し、特にＩＰ（Internet  Protocol）による移動端末のデータ通信方法及び端末移動管理の方法に関する。
【背景技術】
【０００２】
従来、RFC3775  "Mobility  Support  in  IPv6"  <http://www.ietf.org/rfc/rfc3775.txt>に見られるように、ＩＰプロトコルによる移動端末の通信方式はＩＥＴＦ（Internet  Engineering  Task  Force）により検討されている。【０００３】
RFC3775  "Mobility  Support  in  IPv6"  <http://www.ietf.org/rfc/rfc3775.txt>に記載されている方式は一般的にはMobile  ＩＰｖ６方式と呼ばれている。図１にMobile  ＩＰｖ６による移動通信ネットワークの構成を示す。また、以下の説明ではMobile  ＩＰｖ６をMＩＰｖ６と略して説明する。【０００４】
図１に示される移動通信ネットワークは、ホームエージェント５１，５２、エッジルータ５３，５４、移動端末５５，５６、ＩＰネットワーク（ルータ網）２００、ホームネットワーク３０１，３０２から構成されている。【０００５】
移動端末５５，５６の各々は、ＩＰアドレスとしてホームネットワーク３０１，３０２のホームアドレス（ＨｏＡ：Home  Address）「ＨｏＡ１」、「ＨｏＡ２」を有している。【０００６】
移動端末５５，５６が自端末のホームネットワーク３０１，３０２に在圏しているときに移動端末５５，５６が通信を行なう場合には、互いのホームアドレス「ＨｏＡ１」、「ＨｏＡ２」を宛先アドレス（Destination  Address）および送信元アドレス（Source  Address）として通常のＩＰプロトコルによるデータ通信を行なう。【０００７】
次に、移動端末５５，５６が自端末のホームネットワーク３０１，３０２から移動したときに移動端末５５，５６が通信を行なう場合について説明する。移動端末５５がＩＰネットワーク２００を構成するエッジルータ５３の配下に移動し、移動端末５６がＩＰネットワーク２００を構成するエッジルータ５４の配下に移動したとする。【０００８】
エッジルータ５３，５４のそれぞれは、配下の端末に対してプリフィクスを広告しており、移動端末５５，５６は受信したプリフィクスから、移動先での自端末のＩＰアドレスを生成する。この移動先でのＩＰアドレスはＣｏＡ（Care  of  Address）と呼ばれる。移動端末５５のエッジルータ５３配下でのＣｏＡをＣｏＡ１とし、移動端末５６のエッジルータ５４配下でのＣｏＡをＣｏＡ２とする。【０００９】
ホームネットワーク３０１，３０２に設けられるホームエージェント５１，５２は移動端末の移動先を管理するもので、移動端末５５，５６の各々は移動先でＣｏＡを生成すると、自端末のホームネットワーク３０１，３０２のホームエージェント５１，５２に対して生成したＣｏＡを通知し、ホームエージェント５１，５２は通知されたＣｏＡを管理する。【００１０】
移動端末５５，５６が上記のように移動した場合、移動端末５５が移動端末５６へデータパケットを送信する動作についてする。移動端末５５は、図２（ａ）に示すように、送信元アドレス（内部送信元アドレス）が「ＨｏＡ１」で、宛先アドレス（内部宛先アドレス）が「ＨｏＡ２」であるＩＰパケットを、送信元アドレス（外部送信元アドレス）が「ＣｏＡ１」で、宛先アドレス（外部宛先アドレス）がホームエージェント５１のＩＰアドレス「ＨＡ１」でカプセル化して送出する。【００１１】
上記のパケットは、宛先アドレスがホームエージェント５１のＩＰアドレス（ＨＡ１）であるので、ホームエージェント５１に届けられる。ホームエージェント５１は受信したパケットのカプセル化をはずし、図２（ｂ）に示すような、送信元アドレスが「ＨｏＡ１」で、宛先アドレスが「ＨｏＡ２」であるＩＰパケットを送出する。【００１２】
このパケットは宛先アドレスが「ＨｏＡ２」であるので、ホームネットワーク３０２に届けられるが、ホームネットワーク３０２には、現在、「ＨｏＡ２」のアドレスを持つ移動端末５６がいないので、ホームエージェント５２が移動端末５６の代理で受け取る。【００１３】
ホームエージェント５２は、現在、移動端末５６が「ＣｏＡ２」のアドレスを管理しており、受け取ったパケットを宛先アドレスが「ＣｏＡ２」のアドレスにいることを管理しており、受け取ったパケットを図２（ｃ）に示すように、宛先アドレス（外部宛先アドレス）が「ＣｏＡ２」で、送信元アドレス（外部送信元アドレス）がホームエージェント５２のＩＰアドレスである「ＨＡ２」でカプセル化して送出する。このパケットは宛先アドレスが「ＣｏＡ２」であるので、現在、エッジルータ５４の配下にあり、移動先でのＩＰアドレスとして「ＣｏＡ２」を持つ移動端末５６に届けられる。【００１４】
このように、ＭＩＰｖ６では、移動端末の移動先が各移動端末のホームネットワークに設けられるホームエージェントが管理しているので、移動端末宛てのパケットは該移動端末のホームネットワークへ送り、ホームエージェントによって移動端末に転送することで移動端末間の通信が可能とされている。これらのさらに詳細な内容については、例えば、再公表ＷＯ２００００７６２４７号公報や特許第３２９３７６１号公報に記述されている。【００１５】
上記のようにして通信を行なう移動端末のネットワーク上でマルチメディアサービスを実現させる技術として、ＩＰおよびＳＩＰ（Session  Initiation  Protocol）技術を取り入れたＩＭＳ（IP  Multimedia  Subsystem）が３ＧＰＰ（3rd  Generation  Partnership  Project）によって標準化されている。【００１６】
ＩＭＳサービスを受けるためには、"IP  Multimedia  Subsystem(IMS);  Stage  2"、3GPP  TS23.228  ver.6.8.0、<http://www.3gpp.org/ftp/Specs/latest/Rel-6/23_series/23228-680.zip>で規定されているように、移動端末は在圏網にあるセッション制御サーバであるＰ−ＣＳＣＦ（Proxy-Call  Session  Control  Function）サーバを介してセッション制御を行い、通信が開始される。【００１７】
図３は上記のＩＭＳサービスを受けるための通信動作を示す図である。【００１８】
移動端末３０のホームネットワーク１０には、Ｓ−ＣＳＣＦ（Serving-  Call  Session  Control  Function）サーバ７０とホームエージェント５０が設けられ、現在移動端末が在圏している在圏ネットワーク２０にはエッジルータ４０とＰ−ＣＳＣＦサーバ６０とが設けられている。【００１９】
ホームエージェント５０は、在圏ネットワーク２０における移動端末３０のＣｏＡを管理している。Ｓ−ＣＳＣＦ７０は、ユーザの認証、加入者データを管理するＨＳＳ（Home  Subscriber  Server）８０と連携して様々なマルチメディアサービスを提供するＳＩＰサーバである。エッジルータ４０は配下にある移動端末３０とホームエージェント５０との間でのデータ送信を受け持つ。Ｐ−ＣＳＣＦサーバ６０は、移動端末３０が最初にアクセスするＳＩＰサーバであり、移動端末３０から送信されるＳＩＰメッセージをホームネットワーク１０のＳ−ＣＳＣＦ７０へ転送する。【００２０】
ＩＭＳへの登録手順について説明する。図３中、破線矢印は移動端末３０からＨＳＳ８０へ向かう上り方向を示し、実線矢印はＨＳＳ８０から移動端末３０へ向かう下り方向を示している。移動端末３０は在圏ネットワーク２０へ移動すると、在圏ネットワーク２０でマルチメディアサービスを受けるため、ＩＭＳへの登録を行う。移動端末３０が移動端末３０の加入者情報とホームアドレスを含んだ、宛先アドレスがＰ−ＣＳＣＦサーバ６０のＲｅｇｉｓｔｅｒメッセージを送信すると、Ｒｅｇｉｓｔｅｒメッセージを受け付けたエッジルータ４０は、在圏ネットワーク２０に在るＰ−ＣＳＣＦサーバ６０に送信する。Ｐ−ＣＳＣＦサーバ６０はＲｅｇｉｓｔｅｒメッセージを受信すると、移動端末３０の加入者情報とホームアドレスを登録し、Ｒｅｇｉｓｔｅｒメッセージを再構築してＳ−ＣＳＣＦ７０へ送信する。Ｓ−ＣＳＣＦ７０はＲｅｇｉｓｔｅｒメッセージに含まれる加入者情報の正当性をＨＳＳ８０を介して確認すると、移動端末３０の情報とＰ−ＣＳＣＦサーバ６０のアドレスを登録し、ＯＫメッセージをＰ−ＣＳＣＦサーバ６０へ送信する。Ｐ−ＣＳＣＦサーバ６０は移動端末３０へ転送する。このときの宛先は、Ｒｅｇｉｓｔｅｒメッセージに含まれていた移動端末３０のホームアドレスとされる。このため、Ｐ−ＣＳＣＦサーバ６０からホームネットワーク１０に置かれるホームエージェント５０およびエッジルータ４０を経由して移動端末４０へパケットの配送がなされる。
【発明の開示】
【発明が解決しようとする課題】
【００２１】
上述したＩＭＳへの登録手順によると、Ｐ−ＣＳＣＦサーバは移動端末のホームアドレスを管理する構成とされているため、Ｐ−ＣＳＣＦサーバから移動端末へ向かう下り方向の通信を行なう場合には必ずホームネットワークに置かれるホームエージェントを経由することとなり、通信経路が冗長となり、遅延時間が長くなるという問題点がある。【００２２】
本発明は上述したような従来技術が有する問題点に鑑みてなされたものであって、通信経路を短くし、遅延時間を短くすることのできるパケット転送システムおよび方法を実現することを目的とする。
【課題を解決するための手段】
【００２３】
本発明のパケット転送システムは、移動端末から送信されたパケットをサーバへ転送し、返信するパケット転送システムであって、
前記移動端末と前記サーバとの通信経路の間に存在するエッジルータおよびフロントエンド処理装置を備え、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとしてカプセル化して前記フロントエンド処理装置へ転送し、自己宛のカプセル化されたパケットを受信するとカプセル化をはずし、内部送信元アドレスと内部宛先アドレスによるパケットを内部宛先アドレスへ転送し、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とする。【００２４】
本発明のエッジルータは、移動端末から送信されたパケットをサーバへ転送し、返信するパケット転送システムを、前記移動端末と前記サーバとの通信経路の間に存在するフロントエンド処理装置とともに構成するエッジルータであって、
内部宛先アドレスとして前記サーバのアドレスが記述され、該サーバのアドレスに対応する前記フロントエンド処理装置のアドレスが外部宛先アドレスとして記述されたカプセル化アドレスリストと自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、自己のアドレスを外部送信元アドレスとするカプセル化処理を前記カプセル化処理部に行なわせて前記フロントエンド処理装置へ転送し、自己宛のカプセル化されたパケットを受信すると前記デカプセル化処理部にデカプセル化を行なわせ、内部送信元アドレスと内部宛先アドレスによるパケットを内部宛先アドレスへ転送する判断制御部と、を有することを特徴とする。【００２５】
本発明のフロントエンド処理装置は、移動端末から送信されたパケットをサーバへ転送し、返信するパケット転送システムを、前記移動端末と前記サーバとの通信経路の間に存在するエッジルータとともに構成するフロントエンド処理装置であって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを受信すると前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化する処理を前記カプセル化処理部に行なわせて前記エッジルータへ転送する判断制御部と、を有することを特徴とする。【００２６】
本発明の他の形態によるパケット転送システムは、移動端末から送信されたパケットをサーバへ転送し、返信するパケット転送システムであって、
前記移動端末と前記サーバとの通信経路の間に存在するエッジルータを備え、
前記エッジルータは、内部宛先アドレスとして前記サーバのアドレスが記述されたカプセル化アドレスリストを備え、前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化して前記サーバへ転送し、自己宛のカプセル化されたパケットを受信するとカプセル化をはずし、内部送信元アドレスと内部宛先アドレスによるパケットを内部宛先アドレスへ転送し、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際にと前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化して前記エッジルータへ転送することを特徴とする。【００２７】
本発明の他の形態によるエッジルータは、移動端末から送信されたパケットをサーバへ転送するパケット転送システムを構成する前記移動端末と前記サーバとの通信経路の間に存在するエッジルータであって、
内部宛先アドレスとして前記サーバのアドレスが記述されたカプセル化アドレスリストと自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスを外部宛先アドレスとし、自己のアドレスを外部送信元アドレスとしてカプセル化する処理を前記カプセル化処理部に行なわせて前記サーバへ転送し、自己宛のカプセル化されたパケットを受信すると前記デカプセル化処理部にデカプセル化を行なわせて、内部送信元アドレスと内部宛先アドレスによるパケットを内部宛先アドレスへ転送する判断制御部と、を有することを特徴とする。【００２８】
本発明のサーバは、移動端末から送信されたパケットをエッジルータを介して受け取るサーバであって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを送信する際に前記バインディングリストを参照し、前記移動端末のアドレスに対応する外部宛先アドレスとして記述されている前記エッジルータのアドレスを外部宛先アドレスとし、外部送信元アドレスを自己のアドレスとしてカプセル化する処理を前記カプセル化処理部に行なわせて前記エッジルータへ転送する判断制御部と、ことを特徴とする。【００２９】
本発明のさらに他の形態によるパケット転送システムは、移動端末から送信されたパケットをサーバへ転送し、返信するパケット転送システムであって、
前記移動端末と前記サーバとの通信経路の間に存在するエッジルータ、フロントエンド処理装置およびＭＡＰを備え、
前記エッジルータは、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とする。【００３０】
本発明のさらに他の形態によるエッジルータは、移動端末から送信されたパケットをサーバへ転送し、返信するパケット転送システムを前記移動端末と前記サーバとの通信経路の間に存在するフロントエンド処理装置およびＭＡＰとともに構成するエッジルータであって、
内部宛先アドレスとして前記サーバのアドレスが記述され、該サーバのアドレスに対応する前記フロントエンド処理装置のアドレスが外部宛先アドレスとして記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュと、自己のアドレスとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストおよびバインディングキャッシュを参照し、前記サーバのアドレスに対応して記述されている前記フロントエンド処理装置のアドレスを外部宛先アドレスとし、前記移動端末のＲＣｏＡを外部送信元アドレスとしてカプセル化する処理を前記カプセル化処理部に行なわせて前記フロントエンド処理装置へ転送し、ＲＣｏＡ宛またはＬＣｏＡ宛のカプセル化されたパケットを受信すると前記デカプセル化処理部にカプセル化をはずすデカプセル化処理を行なわせ、内部送信元アドレスと内部宛先アドレスによるパケットを内部宛先アドレスへ転送する判断制御部と、を有することを特徴とする。【００３１】
本発明の他の形態によるフロントエンド処理装置は、移動端末から送信されたパケットをサーバへ転送し、返信するパケット転送システムを前記移動端末と前記サーバとの通信経路の間に存在するエッジルータおよびＭＡＰとともに構成する、フロントエンド処理装置であって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに前記バインディングリストへ内部送信元アドレスと外部送信元アドレスとを対応付けて登録し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化する処理を前記カプセル化処理部に行なわせて前記ＭＡＰへ転送する判断制御部と、を有することを特徴とする。【００３２】
本発明のＭＡＰは、移動端末から送信されたパケットをサーバへ転送し、返信するパケット転送システムを前記移動端末と前記サーバとの通信経路の間に存在するエッジルータ、フロントエンド処理装置とともに構成するＭＡＰであって、
前記移動端末のＲＣｏＡとＬＣｏＡとを対応して管理するバインディングキャッシュと自己のアドレスとを記憶する情報記憶部と、
パケットのカプセル化を行なうカプセル化処理部と、
宛先アドレスが前記バインディングキャッシュに管理されているＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化する処理を前記カプセル化処理部に行なわせて前記エッジルータへ転送する判断制御部と、を有することを特徴とする。【００３３】
本発明のさらに他の形態によるパケット転送システムは、移動端末から送信されたパケットをサーバへ転送し、返信するパケット転送システムであって、
前記移動端末と前記サーバとの通信経路の間に存在するエッジルータおよびＭＡＰを備え、
前記エッジルータは、内部宛先アドレスとして前記サーバのアドレスが記述されたカプセル化アドレスリストを備え、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスを外部宛先アドレスとし、前記移動端末のＲＣｏＡを外部送信元アドレスとしてカプセル化して前記サーバへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記サーバは、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とする。【００３４】
本発明のさらに他の形態によるエッジルータは、移動端末から送信されたパケットをサーバへ転送するパケット転送システムを構成する前記移動端末と前記サーバとの通信経路の間に存在するエッジルータであって、
内部宛先アドレスとして前記サーバのアドレスが記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュと、自己のアドレスを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストおよびバインディングキャッシュを参照し、前記サーバのアドレスを外部宛先アドレスとし、前記移動端末のＲＣｏＡを外部送信元アドレスとしてカプセル化する処理を前記カプセル化処理部に行なわせて前記サーバへ転送し、ＲＣｏＡ宛またはＬＣｏＡ宛のカプセル化されたパケットを受信すると前記デカプセル化処理部にデカプセル化処を行い、内部送信元アドレスと内部宛先アドレスによるパケットを内部宛先アドレスへ転送する判断制御部と、を有することを特徴とする。【００３５】
本発明の他の形態によるサーバは、移動端末から送信されたパケットをエッジルータを介して受け取るサーバであって、
内部送信元アドレスと外部送信元アドレスとを対応付けたバインディングリストと自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にデカプセル化処を行わせて内部送信元アドレスと内部宛先アドレスによるパケットを内部宛先アドレスへ転送するとともに前記バインディングリストに内部送信元アドレスと外部送信元アドレスとを対応付けて登録し、宛先アドレスが前記移動端末のアドレスであるパケットを送信する際に前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化する処理を前記カプセル化処理部に行なわせて前記ＭＡＰへ転送する判断制御部と、を有することを特徴とする。【００３６】
本発明のさらに他の形態によるパケット転送システムは、移動端末から送信されたパケットをサーバへ転送し、返信するパケット転送システムであって、
前記移動端末と前記サーバとの通信経路の間に存在するフロントエンド処理装置を備え、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備え、前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化して前記フロントエンド処理装置へ転送し、自己のＣｏＡ宛のカプセル化されたパケットを受信するとカプセル化をはずし、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＣｏＡを外部宛先アドレスとし、外部送信元アドレスを自己のアドレスとしてカプセル化して前記移動端末へ転送することを特徴とする。【００３７】
本発明の移動端末は、サーバへのパケット送信および該サーバからの返信を前記サーバとの通信経路の間に存在するフロントエンド処理装置を介して行なう移動端末であって、
内部宛先アドレスとして前記サーバのアドレスが記述され、該サーバのアドレスに対応する前記フロントエンド処理装置のアドレスが外部宛先アドレスとして記述されたカプセル化アドレスリストと自己のＣｏＡとを記憶する情報記憶部と、
パケットのカプセル化を行なうカプセル化処理部と、
パケットのデカプセル化を行なうデカプセル化処理部と、
前記サーバに対して送信する際に前記カプセル化アドレスリストを参照し、前記サーバのアドレスに対応して記述されている前記フロントエンド処理装置のアドレスを外部宛先アドレスとし、自己のＣｏＡを外部送信元アドレスとしてカプセル化する処理を前記カプセル化処理部に行なわせて前記フロントエンド処理装置へ転送し、自己のＣｏＡ宛のカプセル化されたパケットを受信すると前記デカプセル化処理部にカプセル化をはずすデカプセル化処理を行なわせる判断制御部と、を有することを特徴とする。【００３８】
本発明のさらに他の形態によるパケット転送システムは、移動端末から送信されたパケットをサーバへ転送し、返信するパケット転送システムであって、
前記移動端末と前記サーバとの通信経路の間に存在するフロントエンド処理装置およびＭＡＰを備え、
前記移動端末は、内部宛先アドレスとして前記サーバのアドレスが記述され、該サーバのアドレスに対応する前記フロントエンド処理装置のアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化して前記フロントエンド処理装置へ転送し、ＲＣｏＡ宛またはＬＣｏＡ宛のカプセル化されたパケットを受信するとカプセル化をはずし、
前記フロントエンド処理装置は、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、外部送信元アドレスを自己のアドレスとしてカプセル化して前記ＭＡＰへ転送し、
前記ＭＡＰは前記移動端末のＲＣｏＡとＬＣｏＡとを対応して管理し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とする。【００３９】
本発明の他の形態による移動端末は、サーバへのパケット送信および該サーバからの返信を前記サーバとの通信経路の間に存在するフロントエンド処理装置およびＭＡＰを介して行なう移動端末であって、
内部宛先アドレスとして前記サーバのアドレスが記述され、該サーバのアドレスに対応する前記フロントエンド処理装置のアドレスが外部宛先アドレスとして記述されたカプセル化アドレスリストと、自己について前記ＭＡＰの保持するサブネットで作成されたＣｏＡであるＲＣｏＡと在圏するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記サーバに対して送信する場合には、前記カプセル化アドレスリストを参照し、前記サーバのアドレスに対応して記述されている前記フロントエンド処理装置のアドレスを外部宛先アドレスとし、前記移動端末のＲＣｏＡを外部送信元アドレスとしてカプセル化する処理を前記カプセル化処理部に行なわせて前記フロントエンド処理装置へ転送し、ＲＣｏＡ宛またはＬＣｏＡ宛のカプセル化されたパケットを受信すると前記デカプセル化処理部にカプセル化をはずすデカプセル化処理を行なわせる判断制御部と、を有することを特徴とする。【００４０】
本発明のさらに他の形態によるパケット転送システムは、移動端末から送信されたパケットをサーバへ転送し、返信するパケット転送システムであって、
前記移動端末と前記サーバとの通信経路の間に存在するエッジルータおよびＭＡＰを備え、
前記エッジルータは、内部宛先アドレスとして前記サーバのアドレスが記述され、該サーバのアドレスに対応する前記ＭＡＰのアドレスが外部宛先アドレスとして記述されたカプセル化アドレスリストを備えるとともに、前記移動端末について前記ＭＡＰの保持するサブネットで作成されたＣｏＡであるＲＣｏＡと、前記エッジルータの保持するサブネットで作成されたＣｏＡであるＬＣｏＡとをホームアドレスに対応して管理し、前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、内部送信元アドレスと内部宛先アドレスによるパケットを内部宛先アドレスへ転送し、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とする。【００４１】
本発明のさらに他の形態によるエッジルータは、移動端末から送信されたパケットをサーバへ転送し、返信するパケット転送システムを前記移動端末と前記サーバとの通信経路の間に存在するＭＡＰとともに構成するエッジルータであって、
内部宛先アドレスとして前記サーバのアドレスが記述され、該サーバのアドレスに対応する前記ＭＡＰのアドレスが外部宛先アドレスとして記述されたカプセル化アドレスリストと、前記移動端末について前記ＭＡＰの保持するサブネットで作成されたＣｏＡであるＲＣｏＡと前記エッジルータの保持するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記移動端末から前記サーバに対して送信されたパケットを受け付けると前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化する処理を前記カプセル化処理部に行なわせて前記ＭＡＰへ転送し、ＲＣｏＡ宛またはＬＣｏＡ宛のカプセル化されたパケットを受信すると前記デカプセル化処理部にカプセル化をはずすデカプセル化処理を行なわせて、内部送信元アドレスと内部宛先アドレスによるパケットを内部宛先アドレスへ転送する判断制御部と、を有することを特徴とする。【００４２】
本発明の他の形態によるＭＡＰは、移動端末から送信されたパケットをサーバへ転送し、返信するパケット転送システムを前記移動端末と前記サーバとの通信経路の間に存在するエッジルータとともに構成するＭＡＰであって、
前記移動端末のＲＣｏＡとＬＣｏＡとを対応して管理するバインディングキャッシュと、内部送信元アドレスと外部送信元アドレスとを対応付けたバインディングリストと、自己のアドレスとを記憶する情報記憶部と、
パケットのカプセル化を行なうカプセル化処理部と、
パケットのデカプセル化を行なうデカプセル化処理部と、
自己宛てのカプセル化されたパケットを受信すると、前記デカプセル化処理部にカプセル化をはずすデカプセル化処理を行なわせて内部送信元アドレスと内部宛先アドレスによるパケットを内部宛先アドレスへ転送するとともに内部送信元アドレスと外部送信元アドレスとを前記バインディングリストに登録し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化する処理を前記カプセル化処理部に行なわせて転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化する処理を前記カプセル化処理部に行なわせて前記エッジルータへ転送する判断制御部と、を有することを特徴とするＭＡＰ。【００４３】
本発明のさらに他の形態によるパケット転送システムは、移動端末とＭＡＰにより構成されるパケット転送システムであって、
前記移動端末は内部宛先アドレスとして前記サーバのアドレスが記述され、該サーバのアドレスに対応する前記ＭＡＰのアドレスが外部宛先アドレスとして記述されたカプセル化アドレスリストを備えるとともに、自己について前記ＭＡＰの保持するサブネットで作成されたＣｏＡであるＲＣｏＡと、在圏するサブネットで作成されたＣｏＡであるＬＣｏＡとをホームアドレスに対応して管理し、前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化して前記ＭＡＰへ転送し、ＲＣｏＡ宛またはＬＣｏＡ宛のカプセル化されたパケットを受信するとカプセル化をはずし、
前記ＭＡＰは、前記移動端末のＲＣｏＡとＬＣｏＡとを対応して管理し、自己宛てのカプセル化されたパケットを受信すると、カプセル化をはずして内部送信元アドレスと内部宛先アドレスによるパケットを内部宛先アドレスへ転送するとともに内部送信元アドレスと外部送信元アドレスとを対応付けたバインディングリストを生成し、宛先アドレスが前記移動端末のアドレスであるパケットを受信すると前記バインディングリストを参照し、前記移動端末のアドレスに対応する外部宛先アドレスとして記述されている前記移動端末のＲＣｏＡを外部宛先アドレスとし、自己のアドレスを外部送信元アドレスとしてカプセル化されたパケットとして転送し、宛先アドレスがＲＣｏＡのパケットを受信すると、受信したパケットの宛先アドレスであるＲＣｏＡに対応するＬＣｏＡを外部宛先アドレスとし、自己のアドレスを外部送信元アドレスとしてカプセル化されたパケットとして前記エッジルータへ転送することを特徴とする。【００４４】
本発明のさらに他の形態による移動端末は、サーバへのパケット送信および該サーバからの返信を前記サーバとの通信経路の間に存在するＭＡＰを介して行なう移動端末であって、
内部宛先アドレスとして前記サーバのアドレスが記述され、該サーバのアドレスに対応する前記ＭＡＰのアドレスが外部宛先アドレスとして記述されたカプセル化アドレスリストと、自己について前記ＭＡＰの保持するサブネットで作成されたＣｏＡであるＲＣｏＡと在圏するサブネットで作成されたＣｏＡであるＬＣｏＡとをホームアドレスに対応して管理するバインディングキャッシュとを記憶する情報記憶部と、
パケットのカプセル化を行なうカプセル化処理部と、
パケットのデカプセル化を行なうデカプセル化処理部と、
前記サーバに対して送信する場合には、前記カプセル化アドレスリストを参照し、前記サーバのアドレスに対応して記述されている前記ＭＡＰのアドレスを外部宛先アドレスとし、前記移動端末のＲＣｏＡを外部送信元アドレスとしてカプセル化する処理を前記カプセル化処理部に行なわせて前記ＭＡＰへ転送し、ＲＣｏＡ宛またはＬＣｏＡ宛のカプセル化されたパケットを受信すると前記デカプセル化処理部にカプセル化をはずすデカプセル化処理を行なわせる判断制御部と、を有することを特徴とする。【００４５】
本発明によるプログラムは上記の各構成要素をコンピュータシステムで実現するためのプログラムであり、本発明による記録媒体は上記のプログラムを格納している。【００４６】
上記のように構成される本発明においては、カプセル化アドレスリストを参照し、登録されているサーバについてはカプセル化されて転送される。サーバによる処理が行なわれる前にこのカプセル化は解除されるが、そのときに内部送信元アドレスと外部送信元アドレスとを対応付けたバインディングリストが生成され、サーバからの返信はホームエージェントを介することなくバインディングリストに登録されている外部送信元に送られる。
【発明の効果】
【００４７】
下り方向での通信において在圏ネットワークからホームネットワークを経由することなく、移動端末への送信が行なわれるため、通信経路を短いものとすることができる効果がある。
【図面の簡単な説明】
【００４８】
【図１】Mobile  ＩＰｖ６による移動通信ネットワークの構成を示す図である。
【図２】（ａ）〜（ｃ）のそれぞれはＩＰパケットの構成を示す図である。
【図３】ＩＭＳサービスを受けるための通信動作を示す図である。
【図４】本発明により構成されるパケット転送システムの第１の実施例の構成を示すブロック図である。
【図５】図４中のエッジルータ１４０の構成を示す図である。
【図６】図５中のカプセル化アドレスリスト４０１の登録内容を示す図である。
【図７】図４中のエッジルータ１４０の動作を示すフローチャートである。
【図８】図４中のフロントエンド処理装置１９０の構成を示す図である。
【図９】図８中のバインディングリストの登録内容を示す図である。
【図１０】図４中のフロントエンド処理装置１９０の動作を示すフローチャートである。
【図１１】第１の実施例の動作をヘッダ情報とともに示す図である。
【図１２】本発明により構成されるパケット転送システムの第２の実施例の構成を示すブロック図である。
【図１３】図１２中のエッジルータ２４０の構成を示す図である。
【図１４】図１２中のエッジルータ２４０の動作を示すフローチャートである。
【図１５】図１２中のフロントエンド処理装置２９０の動作を示すフローチャートである。
【図１６】第２の実施例の動作をヘッダ情報とともに示す図である。
【図１７】本発明により構成されるパケット転送システムの第３の実施例の構成を示すブロック図である。
【図１８】図１７中のＰ−ＣＳＣＦサーバ１１６０の構成を示すブロック図である。
【図１９】第３の実施例の動作をヘッダ情報とともに示す図である。
【図２０】本発明により構成されるパケット転送システムの第４の実施例の構成を示すブロック図である。
【図２１】第４の実施例の動作をヘッダ情報とともに示す図である。
【図２２】本発明により構成されるパケット転送システムの第５の実施例の構成を示すブロック図である。
【図２３】図２２中の移動端末１１３０の構成を示すブロック図である。
【図２４】第５の実施例の動作をヘッダ情報とともに示す図である。
【図２５】本発明により構成されるパケット転送システムの第６の実施例の構成を示すブロック図である。
【図２６】図２５中の移動端末１２３０の構成を示すブロック図である。
【図２７】第６の実施例の動作をヘッダ情報とともに示す図である。
【図２８】本発明により構成されるパケット転送システムの第７の実施例の構成を示すブロック図である。
【図２９】図２８中のＭＡＰ１２００の構成を示すブロック図である。
【図３０】第７の実施例の動作をヘッダ情報とともに示す図である。
【図３１】本発明により構成されるパケット転送システムの第８の実施例の構成を示すブロック図である。
【図３２】第８の実施例の動作をヘッダ情報とともに示す図である。
【符号の説明】
【００４９】
１１０，２１０    ホームネットワーク
１２０、２２０    在圏ネットワーク
１３０，２３０    移動端末
１４０，２４０    エッジルータ
１５０，２５０    ホームエージェント
１６０，２６０    Ｐ−ＣＳＣＦ
１７０，２７０    Ｓ−ＣＳＣＦ
１８０    ＨＳＳ
２００    ＭＡＰ
【発明を実施するための最良の形態】
【００５０】
次に、本発明の実施例について図面を参照して説明する。【００５１】
第１の実施例
図４は本発明により構成されるパケット転送システムの第１の実施例の構成を示すブロック図である。図４における、ホームネットワーク１１０、在圏ネットワーク１２０、移動端末１３０、ホームエージェント１５０、Ｐ−ＣＳＣＦ１６０、Ｓ−ＣＳＣＦ１７０、ＨＳＳ１８０のそれぞれは図１６に示したホームネットワーク１０、在圏ネットワーク２０、移動端末３０、ホームエージェント５０、Ｐ−ＣＳＣＦ６０、Ｓ−ＣＳＣＦ７０、ＨＳＳ８０と同様の動作を行う。本実施例では、これらの構成要件の他にエッジルータ（ＥＲ）１４０およびフロントエンド処理装置（ＦＥ）１９０が設けられている。なお、在圏ネットワーク２０は複数のエッジルータによるネットワークが統合されたものであり、移動端末１３０、エッジルータ１４０、Ｐ−ＣＳＣＦ１６０およびフロントエンド処理装置１９０のそれぞれは図４には１つのみ示されているが、実際には複数設けられている。【００５２】
本実施例におけるエッジルータ１４０は、Ｐ−ＣＳＣＦ１６０のアドレスにフロントエンド処理装置１９０のアドレスが対応付けられて登録されているカプセル化アドレスリストを備え、該カプセル化アドレスリストに登録されているＰ−ＣＳＣＦ１６０のアドレス宛てのパケットについてはその宛先アドレスを対応付けられたフロントエンド処理装置１９０のアドレスとし、送信元アドレスを自己のアドレスとしてカプセル化して転送する機能を備えている。【００５３】
図５は図４中のエッジルータ１４０の要部構成を示す図である。エッジルータ１４０は図５に示すようにカプセル化アドレスリスト４０１と自己のアドレスであるＥＲのアドレス４０２とを格納する情報記憶部４００と、判断制御部４０３と、インターフェース部４０４と、カプセル化処理部４０５と、デカプセル化処理部４０６と、ルーティング処理部４０７とから構成されている。【００５４】
判断制御部４０３はインターフェース部４０４を介して送受信するパケットについて、情報記憶部４００の格納内容を参照し、その結果に応じて上記の各部によって行なわれる処理内容を制御する。カプセル化処理部４０５およびデカプセル化処理部４０６は判断制御部４０３の制御に応じてカプセル化処理およびデカプセル化処理をそれぞれ行ない、処理が施されたパケットなどの外部への送出はルーティング処理部４０７およびインターフェース部４０４を介して行なわれる。【００５５】
図６は、カプセル化アドレスリスト４０１の登録内容を示す図である。実際にはＰ−ＣＳＣＦ１６０およびフロントエンド処理装置１９０の具体的なアドレスが登録されるが、ここでは理解を容易とするために、Ｐ−ＣＳＣＦ１６０およびフロントエンド処理装置１９０の名称をそれぞれのアドレスに変えて示す。図６に示されるように、Ｐ−ＣＳＣＦ１６０1〜１６０2のアドレスにフロントエンド処理装置１９０1〜１９０2のアドレスが登録されている。【００５６】
図７はエッジルータ１４０の動作を示すフローチャートである。【００５７】
判断制御部４０３はパケットを受信すると（ステップＳ６０１）、ＥＲのアドレス４０２を参照し、宛先アドレスが自己のアドレスであるかを確認する（ステップＳ６０２）。自己宛てのパケットである場合には、デカプセル化し（ステップＳ６０３）、内部の宛先アドレスへ転送して（ステップＳ６０４）終了する。ステップＳ６０２にて宛先アドレスが自己のアドレスでないことが確認された場合には、図６に示したカプセル化アドレスリスト４０１を検索し（ステップＳ６０５）、宛先アドレスがカプセル化アドレスリスト４０１に登録されているかを確認する（ステップＳ６０６）。宛先アドレスがカプセル化アドレスリスト４０１に登録されている場合には、対応して登録されているフロントエンド処理装置１９０のアドレスを外部宛先アドレスとし、自己のアドレスを外部送信元アドレスとしてカプセル化して（ステップＳ６０７）、外部宛先アドレスに転送し（ステップＳ６０８）、終了する。ステップＳ６０６にて宛先アドレスがカプセル化アドレスリスト４０１に登録されていないことが確認された場合には宛先アドレスに転送して（ステップＳ６０９）終了とする。【００５８】
図８は図４中のフロントエンド処理装置１９０の要部構成を示す図である。フロントエンド処理装置１９０は図８に示すように、バインディングリスト５０１と自己のアドレスであるＦＥのアドレス５０２とを格納する情報記憶部５００と、リスト登録処理部５０３と、判断制御部５０４と、インターフェース部５０５と、カプセル化処理部５０６と、デカプセル化処理部５０７と、ルーティング処理部５０８とから構成されている。【００５９】
判断制御部５０４はインターフェース部５０５を介して送受信するパケットについて、情報記憶部５００の格納内容を参照し、その結果に応じて上記の各部によって行なわれる処理内容を制御する。リスト登録処理部５０３は判断制御部５０４の制御に応じて情報記憶部５００への登録処理を行ない、カプセル化処理部５０６およびデカプセル化処理部５０７は判断制御部５０４の制御に応じてカプセル化処理およびデカプセル化処理をそれぞれ行ない、処理が施されたパケットなどの外部への送出はルーティング処理部５０８およびインターフェース部５０５を介して行なわれる。【００６０】
判断制御部５０４は、宛先アドレスがフロントエンド処理装置１９０のアドレスであり、送信元アドレスがエッジルータ１４０のアドレスによりカプセル化されたパケットを受信すると、内部送信元アドレスと外部送信元アドレスが対応付けられたバインディングリスト５０１を生成する。図９はバインディングリストの登録内容を示す図である。実際には移動端末１３０およびエッジルータ１４０の具体的なアドレスが登録されるが、ここでは理解を容易とするために、移動端末１３０およびエッジルータ１４０の名称をそれぞれのアドレスに変えて示す。図９に示されるように、移動端末１３０1〜１３０2のアドレスにエッジルータ１４０1〜１４０2のアドレスが登録されている。【００６１】
図１０はフロントエンド処理装置１９０の動作を示すフローチャートである。【００６２】
判断制御部５０４はパケットを受信すると（ステップＳ５０１）、ＦＥのアドレス５０２を参照し、宛先アドレスが自己のアドレスであるかを確認する（ステップＳ５０２）。自己宛てのパケットである場合には、デカプセル化し（ステップＳ５０３）、図９に示した内部送信元アドレスと外部送信元アドレスを対応付けたバインディングリスト５０１を生成し（ステップＳ５０４）、内部宛先アドレスを宛先アドレスとして転送して（ステップＳ５０５）終了する。ステップＳ５０２にて宛先アドレスが自己のアドレスでないことが確認された場合には、図９に示したバインディングリスト５０１を検索し、宛先アドレスが内部送信元アドレスとして登録されているかを確認する（ステップＳ５０７）。宛先アドレスがバインディングリスト５０１内部に送信元アドレスとして登録されている場合には対応する外部送信元アドレスを外部宛先アドレスとし、自己のアドレスを外部送信元アドレスとしてカプセル化し（ステップＳ５０８）、転送して（ステップＳ５０９）終了する。ステップＳ５０７にて宛先アドレスがバインディングリスト５０１に内部送信元アドレスとして登録されていないことが確認された場合には、そのまま宛先アドレスへ転送して（ステップＳ５１０）終了する。【００６３】
なお、エッジルータ１４０およびフロントエンド処理装置１９０は、入力装置、出力装置、記憶装置および制御装置からなる一般的なコンピュータシステムにより構成されるもので、上記のカプセル化アドレスリストやバインディングリストは記憶装置に格納されている。【００６４】
図１１は、移動端末１３０の利用者がＩＭＳへの登録を行なうときの動作を、エッジルータ１４０およびフロントエンド処理装置１９０を中心としてヘッダ情報とともに示す図であり、以下に、本実施例の具体的な動作について、図４および図１１を参照して説明する。【００６５】
図４中、破線矢印は移動端末１３０からＨＳＳ１８０へ向かう上り方向を示し、実線矢印はＨＳＳ１８０から移動端末１３０へ向かう下り方向を示している。【００６６】
（１）移動端末１３０は在圏ネットワーク１２０へ移動すると、在圏ネットワーク１２０でマルチメディアサービスを受けるため、ＩＭＳへの登録を行う。【００６７】
移動端末１３０が移動端末１３０の加入者情報とホームアドレスを含んだ、送信元アドレスが移動端末１３０であり、宛先アドレスがＰ−ＣＳＣＦサーバ１６０のＲｅｇｉｓｔｅｒメッセージを送信すると、該Ｒｅｇｉｓｔｅｒメッセージは移動端末１３０を配下とするエッジルータ１４０で受信される。エッジルータ１４０は、受信したＲｅｇｉｓｔｅｒメッセージの宛先アドレスを確認し、図６に示したカプセル化アドレスリストにあるかを確認する。この場合には、宛先アドレスがＰ−ＣＳＣＦサーバ１６０であり、カプセル化アドレスリストに登録されているため、宛先アドレスに対応付けられたフロントエンド処理装置１９０を外部宛先アドレスとし、自己（エッジルータ１４０）のアドレスを外部送信元アドレスとしてカプセル化を行い、フロントエンド処理装置１９０へ転送する。【００６８】
（２）フロントエンド処理装置１９０はエッジルータ１４０より転送されたパケットを受信すると、宛先アドレスの確認を行なう。この場合には宛先アドレスが自己宛てであるため、カプセルをはずすデカプセル化を行い、内部送信元アドレス（移動端末１３０）を送信元アドレスとし、内部宛先アドレス（Ｐ−ＣＳＣＦサーバ１６０）を宛先アドレスとしたパケットをＰ−ＣＳＣＦサーバ１６０へ転送する。デカプセル化を行なう際には、内部送信元アドレス（移動端末１３０）と外部送信元アドレス（エッジルータ１４０）とを対応付けたバインディングリストを生成する。【００６９】
（３）Ｐ−ＣＳＣＦサーバ１６０はフロントエンド処理装置１９０から転送されたパケットを受信すると、移動端末３０の加入者情報とホームアドレスを登録し、Ｒｅｇｉｓｔｅｒメッセージを再構築して送信元アドレスを自己（Ｐ−ＣＳＣＦサーバ１６０）とし、宛先アドレスをＳ−ＣＳＣＦサーバ１７０としたパケットを生成し、Ｓ−ＣＳＣＦサーバ１７０へ転送する。【００７０】
（４）Ｓ−ＣＳＣＦサーバ１７０はＰ−ＣＳＣＦサーバ１６０より転送されたパケットを受信すると、Ｒｅｇｉｓｔｅｒメッセージに含まれる加入者情報の正当性をＨＳＳ１８０を介して確認し、移動端末１３０の情報とＰ−ＣＳＣＦサーバ１６０のアドレスを登録し、ＯＫメッセージを送信元アドレスをＳ−ＣＳＣＦサーバ１７０とし、宛先アドレスをＰ−ＣＳＣＦサーバ１６０としてＰ−ＣＳＣＦサーバ１６０へ送信する。【００７１】
（５）Ｐ−ＣＳＣＦサーバ１６０は受信したパケットの宛先アドレスをＲｅｇｉｓｔｅｒメッセージに含まれていた移動端末１３０のホームアドレスとし、送信元アドレスを自己（Ｐ−ＣＳＣＦサーバ１６０）としてフロントエンド処理装置１９０へ転送する。ここでのフロントエンド処理装置１９０への転送動作は宛先アドレスに関わらずに一義的に行なわれる。【００７２】
（６）フロントエンド処理装置１９０はＰ−ＣＳＣＦサーバ１６０より転送されたパケットを受信すると、宛先アドレスの確認を行なう。この場合には宛先アドレスが自己宛てではなく、移動端末１３０宛てであるため、バインディングリストを参照し、内部送信元アドレスの移動端末１３０に対応する外部送信元アドレスとして登録されているエッジルータ１４０を外部宛先アドレスとし、自己（フロントエンド処理装置１９０）外部送信元アドレスとしてカプセル化してエッジルータ１４０へ送信する。【００７３】
（７）エッジルータ１４０はフロントエンド処理装置１９０より転送されたパケットを受信すると、宛先アドレスの確認を行なう。この場合には宛先アドレスが自己宛てであるためにカプセル化をはずすデカプセル化を行い、移動端末１３０へ転送する。【００７４】
上記のように構成される本実施例においては、下り方向での通信において在圏ネットワークからホームネットワークを経由することなく、移動端末への送信が行なわれ、通信経路を短いものとすることができた。【００７５】
第２の実施例
次に、本発明の第２の実施例について説明する。【００７６】
図１２は本発明により構成されるパケット転送システムの第２の実施例の構成を示すブロック図である。【００７７】
図１０における、ホームネットワーク２１０、在圏ネットワーク２２０、Ｐ−ＣＳＣＦ２６０、Ｓ−ＣＳＣＦ２７０、ＨＳＳ２８０のそれぞれは図４に示したホームネットワーク１１０、在圏ネットワーク１２０、Ｐ−ＣＳＣＦ１６０、Ｓ−ＣＳＣＦ１７０、ＨＳＳ１８０と同様の動作を行う。【００７８】
本実施例は、本発明の構成をHierarchical  Mobile  IPv6（以下、ＨＭＩＰｖ６と称する）に対応させたもので、在圏ネットワーク２２０にはＭＡＰ（Mobile  Anchor  Point）２００が設けられている。ＨＭＩＰｖ６では、アドレスとしてホームエージェント２５０の保持するサブネットで作成されたＩＰアドレスであるＨｏＡと、ＭＡＰ２００の保持するサブネットで作成されたＣｏＡであるＲＣｏＡ（Regional  Care-  of  Address）と、エッジルータ２４０の保持するサブネットで作成されたＣｏＡであるＬＣｏＡ（On-link  Care-  of  Address）とが用いられる。【００７９】
エッジルータ２４０はＭＡＰ２００のアドレスを管理し、自己のアドレスとともに配下の移動端末に公告しており、移動端末２３０はエッジルータ２４０の公告を受信することにより、ＲＣｏＡとＬＣｏＡを生成し、ホームエージェント２５０に対してはＨｏＡとＲＣｏＡの対応関係を通知し、ＭＡＰ２００に対してはＲＣｏＡとＬＣｏＡの対応関係を通知する。この通知に基いて、ホームエージェント２５０は移動端末２３０のＨｏＡとＲＣｏＡの対応関係を管理し、ＭＡＰ２００は移動端末２３０のＲＣｏＡとＬＣｏＡの対応関係を管理する。また、エッジルータ２４０は移動端末２３０のＨｏＡとＲＣｏＡとＬＣｏＡのすべてを管理している。【００８０】
本実施例におけるエッジルータ２４０も図４に示したエッジルータ１４０と同様に、Ｐ−ＣＳＣＦ２６０のアドレスにフロントエンド処理装置２９０のアドレスが対応付けられて登録されているカプセル化アドレスリストを備え、該カプセル化アドレスリストに登録されているＰ−ＣＳＣＦ２６０のアドレス宛てのパケットについてはその宛先アドレスを対応付けられたフロントエンド処理装置２９０のアドレスとし、カプセル化して転送する機能を備えている。ここで、図４に示した実施例と異なる点は、図４に示した実施例では送信元アドレスを自己のアドレスとしていたのに対し、本実施例では移動端末２３０のＲＣｏＡとしてカプセル化する点である。【００８１】
図１３は本実施例におけるエッジルータ２４０の要部構成を示すブロック図である。【００８２】
エッジルータ２４０は図１３に示すようにカプセル化アドレスリスト６０１と自己のアドレスであるＥＲのアドレス６０２と移動端末２３０のＨｏＡとＲＣｏＡとＬＣｏＡのすべてを管理するバインディングキャッシュ６０３を格納する情報記憶部６００と、判断制御部６０４と、インターフェース部６０５と、カプセル化処理部６０６と、デカプセル化処理部６０７と、ルーティング処理部６０８と、ＨＭＩＰ制御処理部６０９とから構成されている。【００８３】
判断制御部６０４はインターフェース部６０５を介して送受信するパケットについて、情報記憶部６００の格納内容を参照し、その結果に応じて上記の各部によって行なわれる処理内容を制御する。カプセル化処理部６０６およびデカプセル化処理部６０７は判断制御部６０４の制御に応じてカプセル化処理およびデカプセル化処理をそれぞれ行ない、処理が施されたパケットなどの外部への送出はルーティング処理部６０８およびインターフェース部６０５を介して行なわれる。判断制御部６０４の制御に応じてＨＭＩＰ制御処理部６０９はバインディングキャッシュ６０２の格納内容の変更などのＨＭＩＰの制御に必要となる処理を行なう。【００８４】
フロントエンド処理装置２９０は、宛先アドレスがフロントエンド処理装置２９０のアドレスであり、送信元アドレスが移動端末２３０のＲＣｏＡによりカプセル化されたパケットを受信すると、内部送信元アドレス（移動端末）と外部送信元アドレス（ＲＣｏＡ）が対応付けられたバインディングリストを生成する。【００８５】
フロントエンド処理装置２９０の構成は図８に示した第１の実施例におけるフロントエンド処理装置１９０の構成と同様であるために、以下の説明では図８を参照して説明する。【００８６】
なお、ＭＡＰ２００、エッジルータ２４０およびフロントエンド処理装置２９０は、入力装置、出力装置、記憶装置および制御装置からなる一般的なコンピュータシステムにより構成される。【００８７】
図１４および図１５のそれぞれはエッジルータ２４０およびフロントエンド処理装置２９０の動作を示すフローチャートである。【００８８】
本実施例の動作について、まず、図１４を参照してエッジルータ２４０の動作について説明する。【００８９】
判断制御部６０４はパケットを受信すると（ステップＳ９０１）、バインディングキャッシュ６０３を参照し、宛先アドレスが自己が管理しているＲＣｏＡまたはＬＣｏＡであるかを確認する（ステップＳ９０２）。宛先アドレスが自己が管理しているＲＣｏＡまたはＬＣｏＡ宛てのパケットである場合には、デカプセル化し（ステップＳ９０３）、内部の宛先アドレスへ転送して（ステップＳ６０４）終了する。ステップＳ９０２にて宛先アドレスが自己が管理しているＲＣｏＡまたはＬＣｏＡでないことが確認された場合には、カプセル化アドレスリスト６０１を検索し（ステップＳ９０５）、宛先アドレスがカプセル化アドレスリスト６０１に登録されているかを確認する（ステップＳ９０６）。宛先アドレスがカプセル化アドレスリスト６０１に登録されている場合には、対応して登録されているフロントエンド処理装置２９０のアドレスを外部宛先アドレスとし、内部送信元アドレスに対応するＲＣｏＡを外部送信元アドレスとしてカプセル化して（ステップＳ９０７）、外部宛先アドレスに転送し（ステップＳ９０８）、終了する。ステップＳ９０６にて宛先アドレスがカプセル化アドレスリスト６０１に登録されていないことが確認された場合には宛先アドレスに転送して（ステップＳ９０９）終了とする。【００９０】
次に、図１５を参照してフロントエンド処理装置２９０の動作について説明する。【００９１】
フロントエンド処理装置１９０はパケットを受信すると（ステップＳ１００１）、ＦＥのアドレス５０２を参照し、宛先アドレスが自己のアドレスであるかを確認する（ステップＳ５０２）。自己宛てのパケットである場合には、デカプセル化し（ステップＳ１００３）、内部送信元アドレス（移動端末）と外部送信元アドレス（ＲＣｏＡ）を対応付けたバインディングリスト５０１を生成し（ステップＳ１００４）、転送して（ステップＳ１００５）終了する。ステップＳ１００２にて宛先アドレスが自己のアドレスでないことが確認された場合には、バインディングリスト５０１を検索し、宛先アドレスが内部送信元アドレスとして登録されているかを確認する（ステップＳ１００７）。宛先アドレスがバインディングリスト５０１の内部に送信元アドレスとして登録されている場合には対応する外部送信元アドレスを外部宛先アドレスとし、自己のアドレスを外部送信元アドレスとしてカプセル化し（ステップＳ１００８）、ＭＡＰ２００へ転送して（ステップＳ１００９）終了する。ステップＳ１００７にて宛先アドレスがバインディングリスト５０１の内部に送信元アドレスとして登録されていないことが確認された場合には、そのまま宛先アドレスへ転送して（ステップＳ１０１０）終了する。【００９２】
図１６は、移動端末２３０の利用者がＩＭＳへの登録を行うときの動作を、エッジルータ２４０およびフロントエンド処理装置２９０を中心としてヘッダ情報とともに示す図であり、以下に、本実施例の具体的な動作について、図１２および図１６を参照して説明する。【００９３】
図１２中、破線矢印は移動端末２３０からＨＳＳ２８０へ向かう上り方向を示し、実線矢印はＨＳＳ２８０から移動端末２３０へ向かう下り方向を示している。【００９４】
（１）移動端末２３０は在圏ネットワーク２２０へ移動すると、在圏ネットワーク２２０でマルチメディアサービスを受けるため、ＩＭＳへの登録を行う。移動端末２３０が移動端末２３０の加入者情報とホームアドレスを含んだ、送信元アドレスが移動端末２３０であり、宛先アドレスがＰ−ＣＳＣＦサーバ２６０のＲｅｇｉｓｔｅｒメッセージを送信すると、該Ｒｅｇｉｓｔｅｒメッセージは移動端末２３０を配下とするエッジルータ２４０で受信される。エッジルータ２４０は、受信したＲｅｇｉｓｔｅｒメッセージの宛先アドレスを確認し、カプセル化アドレスリストにあるかを確認する。この場合には、宛先がＰ−ＣＳＣＦサーバ２６０であり、カプセル化アドレスリストに登録されているため、宛先アドレスに対応付けられたフロントエンド処理装置２９０を外部宛先アドレスとし、内部送信元アドレスである移動端末２３０のＲＣｏＡを外部送信元アドレスとしてカプセル化を行い、フロントエンド処理装置２９０へ転送する。【００９５】
（２）フロントエンド処理装置２９０はエッジルータ２４０より転送されたパケットを受信すると、宛先アドレスの確認を行なう。この場合には宛先アドレスが自己宛てであるため、カプセルをはずすデカプセル化を行い、内部送信元アドレス（移動端末２３０）を送信元アドレスとし、内部宛先アドレス（Ｐ−ＣＳＣＦサーバ２６０）を宛先アドレスとしたパケットをＰ−ＣＳＣＦサーバ２６０へ転送する。デカプセル化を行なう際には、内部送信元アドレス（移動端末１３０）と外部送信元アドレス（ＲＣｏＡ）とを対応付けたバインディングリストを生成する。【００９６】
（３）Ｐ−ＣＳＣＦサーバ２６０はフロントエンド処理装置２９０から転送されたパケットを受信すると、移動端末３０の加入者情報とホームアドレスを登録し、Ｒｅｇｉｓｔｅｒメッセージを再構築して送信元アドレスを自己（Ｐ−ＣＳＣＦサーバ２６０）とし、宛先アドレスをＳ−ＣＳＣＦサーバ２７０としたパケットを生成し、Ｓ−ＣＳＣＦサーバ２７０へ転送する。【００９７】
（４）Ｓ−ＣＳＣＦサーバ２７０はＰ−ＣＳＣＦサーバ２６０より転送されたパケットを受信すると、Ｒｅｇｉｓｔｅｒメッセージに含まれる加入者情報の正当性をＨＳＳ２８０を介して確認し、移動端末１３０の情報とＰ−ＣＳＣＦサーバ２６０のアドレスを登録し、ＯＫメッセージを送信元アドレスをＳ−ＣＳＣＦサーバ２７０とし、宛先アドレスをＰ−ＣＳＣＦサーバ２６０としてＰ−ＣＳＣＦサーバ２６０へ送信する。【００９８】
（５）Ｐ−ＣＳＣＦサーバ２６０は受信したパケットの宛先アドレスをＲｅｇｉｓｔｅｒメッセージに含まれていた移動端末２３０のホームアドレスとし、送信元アドレスを自己（Ｐ−ＣＳＣＦサーバ２６０）としてフロントエンド処理装置２９０へ転送する。ここでのフロントエンド処理装置２９０への転送動作は宛先アドレスに関わらずに一義的に行なわれる。【００９９】
（６）フロントエンド処理装置２９０はＰ−ＣＳＣＦサーバ１６０より転送されたパケットを受信すると、宛先アドレスの確認を行なう。この場合には宛先アドレスが自己宛てではなく、移動端末２３０宛てであるため、バインディングリストを参照し、内部送信元アドレスの移動端末２３０に対応する外部送信元アドレスとして登録されているＲＣｏＡを外部宛先アドレスとし、自己（フロントエンド処理装置２９０）外部送信元アドレスとしてカプセル化してＭＡＰ２００へ転送する。ここでのＭＡＰ２００への転送動作は宛先アドレスであるＲＣｏＡにより行なわれる。【０１００】
（７）ＭＡＰ２００では、フロントエンド処理装置２９０より転送されたパケットを受信すると、エッジルータ２４０に転送する。この転送動作においては、受信したパケットの外部宛先アドレスであるＲＣｏＡに対応するＬＣｏＡを転送パケットの外部宛先アドレスとし、自己（ＭＡＰ）のアドレスを転送パケットの外部送信元アドレスとしてカプセル化が二重化されたパケットとして転送する。ここでのエッジルータ２４０への転送動作は宛先アドレスであるＬＣｏＡにより行なわれる。【０１０１】
（８）エッジルータ２４０はＭＡＰ２００より転送されたパケットを受信すると、宛先アドレスの確認を行なう。この場合には宛先アドレスがＬＣｏＡおよびＲＣｏＡであるためにカプセル化をはずすデカプセル化を２回行い、移動端末２３０へ転送する。【０１０２】
上記のように構成される本実施例においては、ＭＡＰ２００により転送される下り方向での通信がＬＣｏＡを用いているため、移動端末が移動して移動端末を配下とするエッジルータが変更になっても、移動端末を配下とするエッジルータに送られることとなる。【０１０３】
第３の実施例
次に、本発明の第３の実施例について説明する。【０１０４】
図１７は本発明により構成されるパケット転送システムの第３の実施例の構成を示すブロック図である。【０１０５】
本実施例は、図４に示した第１の実施例におけるフロントエンド処理装置１９０の機能をＰ−ＣＳＣＦサーバ１６０に組み込んでＰ−ＣＳＣＦサーバ１１６０としてものである。この他の構成は図４に示した実施例と同様であるため、図４と同じ番号を付して説明は省略する。【０１０６】
図１８は図１７中のＰ−ＣＳＣＦサーバ１１６０の要部構成を示すブロック図である。Ｐ−ＣＳＣＦサーバ１１６０は図１８に示すように、バインディングリスト７０１と自己のアドレスであるＰ−ＣＳＣＦのアドレス７０２とを格納する情報記憶部７００と、リスト登録処理部７０３と、判断制御部７０４と、インターフェース部７０５と、Ｐ−ＣＳＣＦ処理部７０６と、カプセル化処理部７０７と、デカプセル化処理部７０８と、ルーティング処理部７０９とから構成されている。【０１０７】
判断制御部７０４はインターフェース部７０５を介して送受信するパケットについて、情報記憶部７００の格納内容を参照し、その結果に応じて上記の各部によって行なわれる処理内容を制御する。リスト登録処理部７０３は判断制御部７０４の制御に応じて情報記憶部７００への登録処理を行ない、カプセル化処理部７０６およびデカプセル化処理部７０７は判断制御部７０４の制御に応じてカプセル化処理およびデカプセル化処理をそれぞれ行ない、処理が施されたパケットなどの外部への送出はルーティング処理部７０９およびインターフェース部７０５を介して行なわれる。また、Ｐ−ＣＳＣＦサーバとしての処理はＰ−ＣＳＣＦ処理部７０６にて行なわれる。【０１０８】
図１９は、移動端末１３０の利用者がＩＭＳへの登録を行なうときの動作を、エッジルータ１４０を中心としてヘッダ情報とともに示す図である。本実施例の場合には、エッジルータ１４０はカプセル化アドレスリストの外部宛先アドレスを管理する必要がなくなる。移動端末１３０からＰ−ＣＳＣＦサーバ１１６０へのパケットについては、図１９に示すように、外部送信元アドレスを自己（エッジルータ）のアドレスとし、外部宛先アドレスについてはＰ−ＣＳＣＦサーバのアドレスが使用されたカプセル化を行なうこととなる。【０１０９】
第４の実施例
次に、本発明の第４の実施例について説明する。【０１１０】
図２０は本発明により構成されるパケット転送システムの第４の実施例の構成を示すブロック図、図２１は、移動端末２３０の利用者がＩＭＳへの登録を行なうときの動作を、エッジルータ２４０を中心としてヘッダ情報とともに示す図であり、以下に、本実施例の具体的な動作について、図２０および図２１を参照して説明する。【０１１１】
本実施例は、図１２に示した第２の実施例におけるフロントエンド処理装置２９０の機能をＰ−ＣＳＣＦサーバ２６０に組み込んでＰ−ＣＳＣＦサーバ１２６０としたものである。この他の構成は図１２に示した実施例と同様であるため、図１２と同じ番号を付して説明は省略する。また、Ｐ−ＣＳＣＦサーバ１２６０の構成は図１８に示した第３の実施例におけるＰ−ＣＳＣＦサーバ１１６０と同様である。【０１１２】
本実施例の場合にも第３の実施例と同様にエッジルータ２４０はカプセル化アドレスリストの外部宛先アドレスを管理する必要がなくなる。移動端末２３０からＰ−ＣＳＣＦサーバ１２６０へのパケットについては、図２１に示すように、外部送信元アドレスをＲＣｏＡとし、外部宛先アドレスについてはＰ−ＣＳＣＦサーバ１２６０のアドレスが使用されたカプセル化を行なうこととなる。【０１１３】
第５の実施例
次に、本発明の第５の実施例について説明する。【０１１４】
図２２は本発明により構成されるパケット転送システムの第５の実施例の構成を示すブロック図である。【０１１５】
本実施例は、図４に示した第１の実施例におけるエッジルータ１４０の機能を移動端末１３０に組み込んで移動端末１１３０としてものである。この他の構成は図４に示した実施例と同様であるため、図４と同じ番号を付して説明は省略する。【０１１６】
図２３は本実施例における移動端末１１３０の要部構成を示すブロック図である。【０１１７】
移動端末１１３０は図２３に示すように、カプセル化アドレスリスト８０１と自己のＨｏＡとＣｏＡを管理するバインディングキャッシュ８０２を格納する情報記憶部８００と、ＭＩＰ制御処理部８０３と、判断制御部８０４と、インターフェース部８０５と、アプリケーション処理部８０６と、カプセル化処理部８０７と、デカプセル化処理部８０８と、ルーティング処理部８０９とから構成されている。【０１１８】
判断制御部８０４はインターフェース部８０５を介して送受信するパケットについて、情報記憶部８００の格納内容を参照し、その結果に応じて上記の各部によって行なわれる処理内容を制御する。カプセル化処理部８０７およびデカプセル化処理部８０８は判断制御部８０４の制御に応じてカプセル化処理およびデカプセル化処理をそれぞれ行ない、処理が施されたパケットなどの外部への送出はルーティング処理部８０９およびインターフェース部８０５を介して行なわれる。ＭＩＰ制御処理部８０３はホームエージェントへの位置登録要求やバインディングキャッシュ８０２の格納内容の変更などのＭＩＰの制御に必要となる処理を行なう。アプリケーション処理部８０６は判断制御部８０４の制御に応じてアプリケーションの表示などの移動端末としての動作を処理する。【０１１９】
図２４は、移動端末１１３０の利用者がＩＭＳへの登録を行なうときの動作を、移動端末１１３０を中心としてヘッダ情報とともに示す図であり、本実施例の場合には、移動端末１１３０がフロントエンド処理装置にパケットを送信する際に、図２４に示すように、外部送信元アドレスを移動端末１１３０のＣｏＡとし、外部宛先アドレスについてはフロントエンド処理装置１９０のアドレスが使用されたカプセル化を行なうこととなる。【０１２０】
第６の実施例
次に、本発明の第６の実施例について説明する。【０１２１】
図２５は本発明により構成されるパケット転送システムの第６の実施例の構成を示すブロック図である。【０１２２】
本実施例は、図１２に示した第２の実施例におけるエッジルータ２４０の機能を移動端末２３０に組み込んで移動端末１２３０としてものである。この他の構成は図１２に示した実施例と同様であるため、図１２と同じ番号を付して説明は省略する。【０１２３】
図２６は本実施例における移動端末１２３０の要部構成を示すブロック図である。【０１２４】
移動端末１２３０は図２３に示すように、カプセル化アドレスリスト１４０１と自己のＨｏＡとＲＣｏＡとＬＣｏＡのすべてを管理するバインディングキャッシュ１４０２を格納する情報記憶部１４００と、ＨＭＩＰ制御処理部１４０３と、判断制御部１４０４と、インターフェース部１４０５と、アプリケーション処理部１４０６と、カプセル化処理部１４０７と、デカプセル化処理部１４０８と、ルーティング処理部１４０９とから構成されている。【０１２５】
判断制御部１４０４はインターフェース部１４０５を介して送受信するパケットについて、情報記憶部１４００の格納内容を参照し、その結果に応じて上記の各部によって行なわれる処理内容を制御する。カプセル化処理部１４０７およびデカプセル化処理部１４０８は判断制御部１４０４の制御に応じてカプセル化処理およびデカプセル化処理をそれぞれ行ない、処理が施されたパケットなどの外部への送出はルーティング処理部１４０９およびインターフェース部１４０５を介して行なわれる。ＨＭＩＰ制御処理部１４０３はバインディングキャッシュ１４０２の格納内容の変更などのＨＭＩＰの制御に必要となる処理を行なう。アプリケーション処理部１４０６は判断制御部１４０４の制御に応じてアプリケーションの表示などの移動端末としての動作を処理する。【０１２６】
図２７は、移動端末１２３０の利用者がＩＭＳへの登録を行なうときの動作を、移動端末１２３０を中心としてヘッダ情報とともに示す図である。【０１２７】
本実施例の場合には、移動端末１２３０がフロントエンド処理装置２９０にパケットを送信する際に、図１３Ｆに示すように、外部送信元アドレスを移動端末１２３０のＲＣｏＡとし、外部宛先アドレスについてはフロントエンド処理装置１９０のアドレスが使用されたカプセル化を行なうこととなる。【０１２８】
第７の実施例
次に、本発明の第７の実施例について説明する。【０１２９】
図２８は本発明により構成されるパケット転送システムの第７の実施例の構成を示すブロック図である。【０１３０】
本実施例は、図１２に示した第２の実施例におけるフロントエンド処理装置２９０の機能をＭＡＰ２００に組み込んでＭＡＰ１２００としたものである。この他の構成は図１２に示した実施例と同様であるため、図１２と同じ番号を付して説明は省略する。【０１３１】
図２９は本実施例におけるＭＡＰ１２００の要部構成を示すブロック図である。【０１３２】
ＭＡＰ１２００は図２９に示すように、バインディングリスト１５０１と自己のアドレスであるＭＡＰのアドレス１５０２と移動端舞うｔ２３０のＲＣｏＡとＬＣｏＡを管理するバインディングキャッシュ１５０３を格納する情報記憶部１５００と、ＨＭＩＰ制御処理部１５０４と、判断制御部１５０５と、インターフェース部１５０６と、カプセル化処理部１５０７と、デカプセル化処理部１５０８と、ルーティング処理部１５０９とから構成されている。【０１３３】
判断制御部１５０５はインターフェース部１５０６を介して送受信するパケットについて、情報記憶部１５００の格納内容を参照し、その結果に応じて上記の各部によって行なわれる処理内容を制御する。カプセル化処理部１５０７およびデカプセル化処理部１５０８は判断制御部１５０５の制御に応じてカプセル化処理およびデカプセル化処理をそれぞれ行ない、処理が施されたパケットなどの外部への送出はルーティング処理部１５０９およびインターフェース部１５０６を介して行なわれる。ＨＭＩＰ制御処理部１５０４はバインディングキャッシュ１５０３の格納内容の変更などのＨＭＩＰの制御に必要となる処理を行なう。【０１３４】
図３０は、移動端末２３０の利用者がＩＭＳへの登録を行なうときの動作を、エッジルータ２４０を中心としてヘッダ情報とともに示す図である。【０１３５】
本実施例の場合には、エッジルータ２４０がカプセル化アドレスリストの内部宛先アドレスに登録されたサーバＰ−ＣＳＣＦ２６０へパケットを送信する際に、図１３Ｊに示すように、外部送信元アドレスをＲＣｏＡとし、外部宛先アドレスについてはＭＡＰ１２００のアドレスが使用されたカプセル化を行なうこととなる。【０１３６】
第８の実施例
次に、本発明の第８の実施例について説明する。【０１３７】
図３１は本発明により構成されるパケット転送システムの第８の実施例の構成を示すブロック図、図３２は、移動端末２２３０の利用者がＩＭＳへの登録を行なうときの動作を、移動端末２２３０およびＭＡＰ２２００を中心としてヘッダ情報とともに示す図であり、以下に、本実施例の具体的な動作について、図３１および図３２を参照して説明する。【０１３８】
本実施例は、図１２に示した第２の実施例におけるエッジルータ２４０の機能を移動端末２３０に組み込んで移動端末２２３０とし、フロントエンド処理装置２９０の機能をＭＡＰ２００に組み込んでＭＡＰ２２００としたものである。この他の構成は図１２に示した実施例と同様であるため、図１２と同じ番号を付して説明は省略する。また、移動端末２２３０の構成は図２６に示した移動端末１２３０と同様であり、ＭＡＰ２２００の構成は図２９に示したＭＡＰ１２００と同様である。【０１３９】
本実施例の場合には、移動端末２２３０がカプセル化アドレスリストの内部宛先アドレスに登録されたサーバＰ−ＣＳＣＦ２６０へパケットを送信する際に、図３２に示すように、外部送信元アドレスをＲＣｏＡとし、外部宛先アドレスについてはＭＡＰ２２００のアドレスが使用されたカプセル化を行なうこととなる。【０１４０】
以上各実施例で説明したようなパケット転送を行なうことにより、通信経路の短縮化を図ることができる。なお、上述した実施例のいずれにおいてもＩＭＳサービスを受けるためのシステムとして説明したが、在圏ネットワークに存在するサーバへのアクセスシステムに適用してもよい。この場合にも、上記の全ての実施例が適用可能である。【０１４１】
また、ＭＡＰ、エッジルータおよびフロントエンド処理装置、Ｐ−ＣＳＣＦサーバは、入力装置、出力装置、記憶装置および制御装置からなる一般的なコンピュータシステムにより構成されるものであり、本発明は各実施例で説明したＭＡＰ、エッジルータおよびフロントエンド処理装置、Ｐ−ＣＳＣＦサーバで行なわれる動作をコンピュータシステムで実行させるためのプログラムを含み、また、該プログラムを格納する記録媒体を含む。
【図１】
0004725751.tif 000002
【図２】
0004725751.tif 000003
【図３】
0004725751.tif 000004
【図４】
0004725751.tif 000005
【図５】
0004725751.tif 000006
【図６】
0004725751.tif 000007
【図７】
0004725751.tif 000008
【図８】
0004725751.tif 000009
【図９】
0004725751.tif 000010
【図１０】
0004725751.tif 000011
【図１１】
0004725751.tif 000012
【図１２】
0004725751.tif 000013
【図１３】
0004725751.tif 000014
【図１４】
0004725751.tif 000015
【図１５】
0004725751.tif 000016
【図１６】
0004725751.tif 000017
【図１７】
0004725751.tif 000018
【図１８】
0004725751.tif 000019
【図１９】
0004725751.tif 000020
【図２０】
0004725751.tif 000021
【図２１】
0004725751.tif 000022
【図２２】
0004725751.tif 000023
【図２３】
0004725751.tif 000024
【図２４】
0004725751.tif 000025
【図２５】
0004725751.tif 000026
【図２６】
0004725751.tif 000027
【図２７】
0004725751.tif 000028
【図２８】
0004725751.tif 000029
【図２９】
0004725751.tif 000030
【図３０】
0004725751.tif 000031
【図３１】
0004725751.tif 000032
【図３２】
0004725751.tif 000033